Podtech/llm-jp-corpus-v4-ja_patent huggingface dataset:
【手続補正書】
【提出日】平成25年4月18日(2013.4.18)
【手続補正１】
【補正対象書類名】特許請求の範囲
【補正対象項目名】全文
【補正方法】変更
【補正の内容】
【特許請求の範囲】
【請求項１】
白金族金属と、
金属酸化物と、
ナノ酸化亜鉛とを含む、触媒。
【請求項２】
前記白金族金属は、ルテニウム、ロジウム、パラジウム、オスミウム、イリジウムおよび白金のうちの少なくとも１つである、請求項１に記載の触媒。
【請求項３】
前記白金族金属は酢酸パラジウムである、請求項２に記載の触媒。
【請求項４】
酢酸パラジウムは、ナノパラジウムに還元される、請求項３に記載の触媒。
【請求項５】
前記金属酸化物は酸化クロムである、請求項１に記載の触媒。
【請求項６】
ｎ−Ｐｄ／ｎ−ＺｎＣｒ2Ｏ4の式をさらに含む、請求項１に記載の触媒。
【請求項７】
触媒の製造方法であって、
硫酸亜鉛七水和物、ピルビン酸ナトリウム、炭酸水素ナトリウムおよび塩酸ヒドロキシルアミンを反応させて、ナノＺｎＯを生成するステップと、
窒素流下で金属酸化物をか焼して、金属酸化物粉末を生成するステップと、
前記ナノＺｎＯおよび前記金属酸化物粉末をある比率で混合して、ナノＺｎＯ−金属酸化物混合物を形成するステップとを備える、方法。
【請求項８】
機械的攪拌によって白金族金属塩をチオフェンフリーベンゼンに溶解させるステップと、
チオフェンフリーベンゼンに溶解した前記白金族金属塩と前記ナノＺｎＯ−金属酸化物混合物とを混合して、触媒前駆体を形成するステップと、
ロータリーエバポレータを用いて周囲温度で真空下で前記ベンゼンを蒸発させて、前記触媒前駆体を乾燥させるステップと、
管状マッフル炉において３５０℃で定常水素流下で、乾燥した前記触媒前駆体を還元するステップと、
前記触媒前駆体を加熱および冷却して、還元プロセスによって触媒を得るステップと、
さらなる使用まで、デシケータの中で、窒素およびアルゴンのうちの少なくとも１つの下で前記触媒を保管するステップとをさらに備える、請求項７に記載の方法。
【請求項９】
前記金属酸化物は酸化クロムである、請求項７に記載の方法。
【請求項１０】
前記白金族金属塩は、ルテニウム、ロジウム、パラジウム、オスミウム、イリジウムおよび白金のうちの少なくとも１つである、請求項８に記載の方法。
【請求項１１】
白金族金属塩は酢酸パラジウムである、請求項９に記載の方法。
【請求項１２】
酢酸パラジウムは、ナノパラジウム金属に還元される、請求項１１に記載の方法。
【請求項１３】
形成された前記触媒は、１重量％のｎ−Ｐｄ／ｎ−ＺｎＣｒ2Ｏ4の式を有する、請求項１２に記載の方法。
【請求項１４】
ナノＺｎＯを合成するステップと、
金属酸化物をナノＺｎＯに混合するステップと、
ナノパラジウム／ナノＺｎ−金属酸化物触媒を合成するステップと、
アセトン自己縮合から、ナノパラジウム／ナノＺｎ−金属酸化物触媒を用いて、メチルイソブチルケトン、ジイソブチルケトン、メシチルオキシド、メシチレンおよびイソプロピルアルコールのうちの少なくとも１つを生成するステップとを備える、プロセス。
【請求項１５】
前記金属酸化物は酸化クロム（ＣｒＯ3）である、請求項１４に記載のプロセス。
【請求項１６】
硫酸亜鉛七水和物、ピルビン酸ナトリウム、炭酸水素ナトリウムおよび塩酸ヒドロキシルアミンを反応させることによってナノＺｎＯを生成するステップと、
金属酸化物のか焼中に前記金属酸化物上に定常窒素流を流して、金属酸化物粉末を生成するステップと、
１：１のモル比の前記金属酸化物粉末およびナノＺｎＯを混合することによって、ナノＺｎＯ−金属酸化物混合物を合成するステップとをさらに備える、請求項１４に記載のプロセス。
【請求項１７】
チオフェンフリーベンゼン中で白金族金属塩を機械的に攪拌して、金属塩溶液を作るステップと、
チオフェンフリーベンゼンに溶解した前記白金族金属塩とナノＺｎＯ−金属酸化物混合物とを混合して、触媒前駆体を形成するステップと、
周囲温度で真空下で前記ベンゼンの回転蒸発を行なって、前記触媒前駆体を乾燥させるステップと、
定常水素流を公知の速度に維持して、３５０℃で前記触媒前駆体を還元するステップと、
前記触媒前駆体を冷却および加熱して、還元プロセスによって触媒を得るステップと、
さらなる使用まで、デシケータの中で、窒素およびアルゴンのうちの少なくとも１つの下で前記触媒を保管するステップとをさらに備える、請求項１４に記載のプロセス。
【請求項１８】
パイレックス（登録商標）ガラスウールとセラミック片の２つの層の間に触媒を配置するステップと、
前記触媒を反応器に積載するステップとをさらに備える、請求項１７に記載のプロセス。
【請求項１９】
６５℃〜７０℃の温度でアセトンを気化させるステップと、
気化した前記アセトンとＨ2ガスおよびＮ2ガスのうちの少なくとも１つとを混合物として混合するステップと、
大気圧下で前記混合物を連続流で前記反応器に送り込むステップと、
前記反応器の温度を２５０℃〜３５０℃に維持するステップとをさらに備える、請求項１８に記載のプロセス。
【請求項２０】
形成された液体生成物を収集して、ガスクロマトグラフィ機器を用いて１時間毎に前記液体生成物を分析するステップと、
ガス分析器を用いて気体生成物を分析して、前記気体生成物を同定して定量化するステップとをさらに備える、請求項１９に記載のプロセス。
【手続補正書】
【提出日】平成25年3月21日(2013.3.21)
【手続補正１】
【補正対象書類名】特許請求の範囲
【補正対象項目名】全文
【補正方法】変更
【補正の内容】
【特許請求の範囲】
【請求項１】
車両を目標駐車位置へ自動的に駐車させる自動駐車手段と、 
ステアリングホイールの回転に応じて前記操舵輪を操舵する操舵モータを備えたステアバイワイヤシステムとを備える駐車支援システムにおいて、
前記自動駐車手段の実行中に、前記操舵モータにより前記操舵輪が操舵されても前記ステアリングホイールの位置は、保持されることを特徴とする駐車支援システム。
【請求項２】
前記ステアリングホイールの回転角を検出するステアリングホイール回転角検出手段を備え、 
前記自動駐車手段は、前記ステアリングホイール回転角検出手段により自動駐車中に前記ステアリングホイールの回転が検出された時には、自動駐車を停止することを特徴とする請求項１に記載の駐車支援システム。
【請求項３】
車両を目標駐車位置へ自動的に駐車させる自動駐車手段と、 
ステアリングホイールの回転に応じて前記操舵輪を操舵する操舵モータを備えたステアバイワイヤシステムとを備える駐車支援システムにおいて、
前記自動駐車手段の実行中には前記操舵モータにより前記操舵輪が操舵されても前記ステアリングホイールを中立位置にするモードと、
前記自動駐車手段の実行中には前記操舵輪の操舵角に応じて前記ステアリングモータにより前記ステアリングホイールを回転させるモードとを有し、
この２つのモードを切り換えるモード切換手段を備えることを特徴とする駐車支援システム。 
【手続補正２】
【補正対象書類名】明細書
【補正対象項目名】０００５
【補正方法】変更
【補正の内容】
【０００５】
ところで、従来、パワーステアリングを用いた自動駐車では、計算された経路に沿って車両が移動するように、ステアリングホイールが回転して操舵輪を操舵することによって駐車動作を行っている。
このため、駐車支援の際に、運転者の意思でステアリングホイールを回転させないという選択ができず、ステアリングホイールが自動的に回転するため、運転者の衣類がステアリングホイールに巻きついたり、ステアリングホイールが運転者の手にぶつかったりする等の予期せぬ事態が発生するおそれがあった。
また、パワーステアリングを用いた自動駐車では、自動駐車中に回転するステアリングホイールを停止させると、自動駐車を停止するようになっている。
しかし、ステアリングホイールを常に中立位置に保つようにすると、従来の方法では、自動駐車を停止することができないという不都合があった。
【手続補正３】
【補正対象書類名】明細書
【補正対象項目名】０００７
【補正方法】変更
【補正の内容】
【０００７】
この発明は、車両を目標駐車位置へ自動的に駐車させる自動駐車手段と、ステアリングホイールの回転に応じて前記操舵輪を操舵する操舵モータを備えたステアバイワイヤシステムとを備える駐車支援システムにおいて、前記自動駐車手段の実行中に、前記操舵モータにより前記操舵輪が操舵されても前記ステアリングホイールの位置は、保持されることを特徴とする。
【手続補正４】
【補正対象書類名】明細書
【補正対象項目名】００１５
【補正方法】変更
【補正の内容】
【００１５】
また、車両１には、ステアバイワイヤシステム２に一体的に組み込まれる駐車支援システム３０が搭載される。この駐車支援システム３０は、運転者がステアリングホイール７を操舵することなく、車両１を目標駐車位置へ自動的に駐車（自動パーキング）させる自動駐車手段３１を備える。この自動駐車手段３１は、ステアリング制御装置２４に連絡し、左前輪１５Ｌ、右前輪１５Ｒの操舵指示やモード指示の信号を出力する一方、ステアリング制御装置２４からの自動駐車停止指示の信号を入力する。
ステアリング制御装置２４は、自動駐車手段３１の実行中に、第１操舵モータ２２、第２操舵モータ２３により左前輪１５Ｌ、右前輪１５Ｒが操舵されてもステアリングホイール７の位置を保持する。
このように、駐車支援の際に、ステアリングホイール７の位置が保持されるため、運転者の衣類がステアリングホイール７に巻きついたり、ステアリングホイール７が運転者の手にぶつかったりする等の予期せぬ事態が発生するおそれがない。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】変更
【補正の内容】
【００１８】
更に、ステアリング制御装置２４は、自動駐車手段３１の実行中に、第１操舵モータ２２、第２操舵モータ２３により左前輪１５Ｌ、右前輪１５Ｒが操舵されてもステアリングホイール７を中立位置にする第１のモード（モード１）と、自動駐車手段３１の実行中には、左前輪１５Ｌ、右前輪１５Ｒの操舵角に応じてステアリングモータ１４によりステアリングホイール７を回転させる第２のモード（モード２）とを有する。
そして、自動駐車手段３１には、ステアリング制御装置２４での上記の第１のモード（モード１）と第２のモード（モード２）とを切り換えるモード切換手段（スイッチ）３２が連絡している。自動駐車手段３１は、モード切換手段（スイッチ）３２の状態に応じて、ステアリング制御装置２４にモード指示の信号を出力する。一方、ステアリング制御装置２４は、入力されたモード指示の信号に応じて、第１のモード（モード１）と第２のモード（モード２）とを切り換える。
これにより、運転者は、自動駐車中のステアリングホイール７の挙動を選択することができる。
【手続補正書】
【提出日】平成25年8月14日(2013.8.14)
【手続補正１】
【補正対象書類名】明細書
【補正対象項目名】発明の名称
【補正方法】変更
【補正の内容】
【発明の名称】加工方法、及び加工装置
【手続補正２】
【補正対象書類名】明細書
【補正対象項目名】０００１
【補正方法】変更
【補正の内容】
【０００１】
本発明は、高い加工精度で形状加工等を行う加工方法及び加工装置に関するものである。
【手続補正３】
【補正対象書類名】明細書
【補正対象項目名】００１１
【補正方法】変更
【補正の内容】
【００１１】
本発明は、光学部品の金型等を精密に形状加工することのできる加工方法及び加工装置を提供することを目的とするものである。
【手続補正４】
【補正対象書類名】明細書
【補正対象項目名】００１２
【補正方法】変更
【補正の内容】
【００１２】
本発明の加工方法は、複数の移動ステージを駆動し、加工工具を被加工物に対して走査させて前記被加工物を加工する加工方法において、前記複数の移動ステージのそれぞれの姿勢誤差を検出し、ステージの目標位置データと加工点の座標データから求めた前記各移動ステージの基準点に対する被加工物上の加工点の相対位置と、前記姿勢誤差とから、前記加工点の変位量を求め、前記ステージの目標位置データを前記加工点の変位量に基づいて補正し、前記補正したステージの目標位置データに基づいて前記複数の移動ステージを駆動して前記被加工物を加工することを特徴とする。
本発明の加工装置は、複数の移動ステージにより、加工工具を被加工物に対して走査させて加工する加工装置において、前記複数の移動ステージをそれぞれ駆動するステージ駆動手段と、前記複数の移動ステージのそれぞれの姿勢誤差を検出するステージ姿勢誤差検出手段と、ステージの目標位置データと加工点の座標データから、前記各移動ステージの基準点に対する被加工物上の加工点の相対位置を求め、前記求めた相対位置と前記姿勢誤差とから前記加工点の変位量を演算する手段と、を有し、前記ステージ駆動手段は、前記加工点の変位量に基づいて補正された前記移動ステージの目標位置データに基づいて前記複数の移動ステージを駆動することを特徴とする。
【手続補正５】
【補正対象書類名】明細書
【補正対象項目名】００１３
【補正方法】変更
【補正の内容】
【００１３】
加工装置の加工データとして移動ステージの目標位置とともに加工点の座標を予め数値演算装置に与えて、移動ステージの移動時の姿勢誤差と加工点の座標とから姿勢誤差に対する変位量を求める。この際、予め登録されている加工点の座標に対し、移動ステージの姿勢変化で発生する直交３軸方向の変位だけを演算することで、計算負荷を小さくして、数値演算装置上でリアルタイムに計算することが可能となる。移動ステージの姿勢変化による加工点の変位量を直交３軸の位置ずれ成分のみで算出し、算出した加工点の変位量に基づいて補正された移動ステージの目標位置データに基づいて複数の移動ステージを駆動することで、加工精度を向上させることができる。
【手続補正６】
【補正対象書類名】特許請求の範囲
【補正対象項目名】全文
【補正方法】変更
【補正の内容】
【特許請求の範囲】
【請求項１】
複数の移動ステージを駆動し、加工工具を被加工物に対して走査させて前記被加工物を加工する加工方法において、
前記複数の移動ステージのそれぞれの姿勢誤差を検出し、
ステージの目標位置データと加工点の座標データから求めた前記各移動ステージの基準点に対する被加工物上の加工点の相対位置と、前記姿勢誤差とから、前記加工点の変位量を求め、
前記ステージの目標位置データを前記加工点の変位量に基づいて補正し、前記補正したステージの目標位置データに基づいて前記複数の移動ステージを駆動して前記被加工物を加工することを特徴とする加工方法。
【請求項２】
前記ステージの目標位置データと前記加工点の座標データは、加工前に作成しておくことを特徴とする請求項１記載の加工方法。
【請求項３】
前記補正したステージの目標位置データは予め求めておくことを特徴とする請求項２記載の加工方法。
【請求項４】
前記各移動ステージの基準点は、前記各移動ステージの重心位置であることを特徴とする請求項１乃至３いずれか一項記載の加工方法。
【請求項５】
前記各移動ステージの重心位置の移動量をさらに検出し、前記移動量に基づいて前記ステージの目標位置データをさらに補正することを特徴とする請求項４記載の加工方法。
【請求項６】
前記加工工具は、円盤状の形状であることを特徴とする請求項１乃至５いずれか一項記載の加工方法。
【請求項７】
複数の移動ステージにより、加工工具を被加工物に対して走査させて加工する加工装置において、
前記複数の移動ステージをそれぞれ駆動するステージ駆動手段と、
前記複数の移動ステージのそれぞれの姿勢誤差を検出するステージ姿勢誤差検出手段と、
ステージの目標位置データと加工点の座標データから、前記各移動ステージの基準点に対する被加工物上の加工点の相対位置を求め、前記求めた相対位置と前記姿勢誤差とから前記加工点の変位量を演算する手段と、を有し、
前記ステージ駆動手段は、前記加工点の変位量に基づいて補正された前記移動ステージの目標位置データに基づいて前記複数の移動ステージを駆動することを特徴とする加工装置。
【請求項８】
前記各移動ステージの基準点は前記各移動ステージの重心位置であることを特徴とする請求項７記載の加工装置。
【請求項９】
前記各移動ステージの重心位置の移動量を検出する平行並進誤差検出手段をさらに有することを特徴とする請求項８記載の加工装置。
【請求項１０】
前記加工工具は、円盤状の形状であることを特徴とする請求項７乃至９いずれか一項記載の加工装置。
【手続補正書】
【提出日】平成25年8月15日(2013.8.15)
【手続補正１】
【補正対象書類名】特許請求の範囲
【補正対象項目名】全文
【補正方法】変更
【補正の内容】
【特許請求の範囲】
【請求項１】
遊技媒体を用いた遊技動作を制御する遊技制御基板と、
前記遊技制御基板の制御によって前記遊技動作に伴う演出動作を制御する演出制御基板と、
前記演出制御基板の制御によって表示動作を実行する表示装置とを備えた遊技機において、
前記演出制御基板は、
前記表示装置に表示すべき映像に必要であって複数種類のサイズが存在する素材画像群の表示に用いる素材画像データ群が記憶されている不揮発性映像メモリと、
前記複数種類のサイズに応じて記録領域を複数の区画に分けて、各前記素材画像データが一時的に記憶される揮発性映像メモリと、
前記表示装置に表示すべき映像に応じて、前記不揮発性映像メモリから読み出すべき各素材画像データを指定するとともに、前記指定された各素材画像データに基づく各素材画像のサイズに応じて前記複数の区画のいずれか特定の区画を選択し、各前記素材画像データを前記特定の区画に展開させる表示制御プロセッサと、
前記表示制御プロセッサの指示に従って、前記揮発性映像メモリにおける前記特定の区画から各前記素材画像データを読み出し、前記読み出した各素材画像データに基づく各素材画像により構成した映像を前記表示装置に表示させる映像表示プロセッサと
を備えることを特徴とする遊技機。
【手続補正２】
【補正対象書類名】明細書
【補正対象項目名】０００８
【補正方法】変更
【補正の内容】
【０００８】
上記課題を解決するため、第１の発明の遊技機においては、遊技媒体を用いた遊技動作を制御する遊技制御基板と、前記遊技制御基板の制御によって前記遊技動作に伴う演出動作を制御する演出制御基板と、前記演出制御基板の制御によって表示動作を実行する表示装置とを備えた遊技機において、前記演出制御基板は、前記表示装置に表示すべき映像に必要であって複数種類のサイズが存在する素材画像群の表示に用いる素材画像データ群が記憶されている不揮発性映像メモリと、前記複数種類のサイズに応じて記録領域を複数の区画に分けて、各前記素材画像データが一時的に記憶される揮発性映像メモリと、前記表示装置に表示すべき映像に応じて、前記不揮発性映像メモリから読み出すべき各素材画像データを指定するとともに、前記指定された各素材画像データに基づく各素材画像のサイズに応じて前記複数の区画のいずれか特定の区画を選択し、各前記素材画像データを前記特定の区画に展開させる表示制御プロセッサと、前記表示制御プロセッサの指示に従って、前記揮発性映像メモリにおける前記特定の区画から各前記素材画像データを読み出し、前記読み出した各素材画像データに基づく各素材画像により構成した映像を前記表示装置に表示させる映像表示プロセッサとを備えることを特徴とする。ここで、素材画像の複数種類のサイズとしては、例えば大、中、小のように大まかに分けられていても良いし、より詳細に分けられていてあっても良い。或いは、素材画像の複数種類のサイズは、例えば複数のサイズ範囲を設定するとともにこれら複数のサイズ範囲に応じて分けられていても良い。上述した第１の発明の遊技機における不揮発性映像メモリとしては、一例としてＮＡＮＤ型フラッシュメモリを挙げることができる。このような構成を採用した場合、次のような有用性を発揮しうる。
【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
噴射ノズルから液体を噴射する液体噴射装置であって、
液体が供給されると共に、前記噴射ノズルが接続された液体室と、
前記液体室に液体を圧送する液体圧送手段と、
印加された駆動電圧に応じて前記流体室内の流体を前記噴射ノズルから噴射する液体噴射手段と、
前記液体室に液体が供給された状態で、前記液体噴射手段に所定の電圧波形の前記駆動電圧を印加する駆動電圧印加手段と、
前記液体室に圧送される液体の圧力変動データを記憶する記憶部と、
を備え、
前記液体圧送手段は、前記液体室に圧力変動を伴う状態で液体を圧送する手段であり、
前記駆動電圧印加手段は、前記記憶部の前記圧力変動データに基づき、前記電圧波形を変更することによって補償しながら、前記液体噴射手段に印加し、
前記圧力変動データが所定の圧力より小さい場合の、
電圧波形と前記電圧波形の次に印加する電圧波形との時間間隔が、
前記圧力変動データが所定の圧力より大きい場合の、
電圧波形と前記電圧波形の次に印加する電圧波形との時間間隔よりも長いことを特徴とする液体噴射装置。
【請求項２】
請求項１に記載の液体噴射装置であって、
前記駆動電圧印加手段は、前記液体室に圧送される液体の圧力が低くなるほど、前記駆動電圧の最大電位差が大きくなるように電圧波形を変更した後、前記液体噴射手段に印加する手段である液体噴射装置。
【請求項３】
請求項１に記載の液体噴射装置であって、
前記駆動電圧印加手段は、前記液体室に圧送される液体の圧力が低くなるほど、前記駆動電圧の電圧変化速度が増加するように電圧波形を変更した後、前記液体噴射手段に印加する手段である液体噴射装置。
【請求項４】
請求項１から請求項３のいずれかに記載の液体噴射装置を用いた医療機器。
【手続補正書】
【提出日】平成25年1月21日(2013.1.21)
【手続補正１】
【補正対象書類名】特許請求の範囲
【補正対象項目名】全文
【補正方法】変更
【補正の内容】
【特許請求の範囲】
【請求項１】
被写体を透過した放射線の照射を受けて前記被写体の放射線画像を検出する放射線検出部から前記放射線画像を表す放射線画像信号を読み取るとともに、前記被写体の放射線画像の撮影に関する情報を取得し、
該取得した前記撮影に関する情報に基づく鍵情報を用いて、前記放射線画像信号に対して暗号化処理を施して暗号化放射線画像信号を生成し、
該暗号化放射線画像信号を無線通信信号として出力することを特徴とする放射線画像信号の暗号化処理方法。
【請求項２】
被写体の放射線画像の撮影に関する情報の入力を受け付け、
被写体を透過した放射線の照射を受けて前記被写体の放射線画像信号を検出する放射線画像検出装置に対して、前記受け付けた撮影に関する情報を無線通信信号として出力し、
前記放射線画像検出装置において前記撮影に関する情報に基づく鍵情報を用いて前記放射線画像信号に対して暗号化処理が施された暗号化放射線画像信号であって、前記放射線画像検出装置から無線通信信号として出力された暗号化放射線画像信号を受信し、
該受信した暗号化放射線画像信号に対して、前記撮影に関する情報に基づく鍵情報を用いて復号化処理を施して放射線画像信号を生成することを特徴とする放射線画像信号の復号化処理方法。
【請求項３】
被写体を透過した放射線の照射を受けて前記被写体の放射線画像を検出する放射線検出部と、
該放射線検出部から前記放射線画像を表す放射線画像信号を読み取る読取部と、
前記被写体の放射線画像の撮影に関する情報を取得する撮影情報取得部と、
該撮影情報取得部によって取得された撮影に関する情報に基づく鍵情報を用いて、前記放射線画像に対して暗号化処理を施して暗号化放射線画像信号を生成する暗号化処理部と、
該暗号化処理部よって生成された暗号化放射線画像信号を無線通信信号として出力する無線通信部とを備えたことを特徴とする放射線画像検出装置。
【請求項４】
前記撮影に関する情報が、前記放射線画像の撮影毎に変わる情報を含むものであることを特徴とする請求項３記載の放射線画像検出装置。
【請求項５】
前記鍵情報が、前記撮影に関する情報の一部を用いて生成されたものであることを特徴とする請求項３または４記載の放射線画像検出装置。
【請求項６】
前記撮影に関する情報が、前記放射線画像の撮影手技、前記被写体としての患者情報、および前記放射線画像の撮影時刻の少なくとも１つの情報を含むものであることを特徴とする請求項３から５いずれか１項記載の放射線画像検出装置。
【請求項７】
前記撮影に関する情報が、前記放射線画像の撮影を実施した際に取得される撮影実施条件を含むものであることを特徴とする請求項３から６いずれか１項記載の放射線画像検出装置。
【請求項８】
被写体の放射線画像の撮影に関する情報の入力を受け付ける撮影情報受付部と、
請求項３から６いずれか１項記載の放射線画像検出装置に対して、前記撮影情報受付部によって受け付けられた撮影に関する情報を無線通信信号として出力するとともに、前記放射線画像検出装置において前記撮影に関する情報に基づく鍵情報を用いて生成され、無線通信信号として出力された暗号化放射線画像信号を受信する無線通信部と、
該無線通信部によって受信された暗号化放射線画像信号に対して、前記撮影に関する情報に基づく鍵情報を用いて復号化処理を施して放射線画像信号を生成する復号化処理部とを備えたことを特徴とする放射線画像信号生成装置。
【請求項９】
前記撮影に関する情報が、前記放射線画像の撮影毎に変わる情報を含むものであることを特徴とする請求項８記載の放射線画像信号生成装置。
【請求項１０】
前記鍵情報が、前記撮影に関する情報の一部を用いて生成されたものであることを特徴とする請求項８または９記載の放射線画像信号生成装置。
【請求項１１】
前記撮影に関する情報が、前記放射線画像の撮影手技、前記被写体としての患者情報、および前記放射線画像の撮影時刻の少なくとも１つの情報を含むものであることを特徴とする請求項８から１０いずれか1項記載の放射線画像信号生成装置。
【請求項１２】
前記撮影に関する情報が、前記放射線画像の撮影を実施した際に取得される撮影実施条件を含むものであることを特徴とする請求項８から１１いずれか１項記載の放射線画像信号生成装置。
【手続補正書】
【提出日】平成25年8月23日(2013.8.23)
【手続補正１】
【補正対象書類名】特許請求の範囲
【補正対象項目名】全文
【補正方法】変更
【補正の内容】
【特許請求の範囲】
【請求項１】
第１の要因に基づいて特別特典を付与するか否かを判定する第１判定手段と、
前記第１の要因と異なる第２の要因に基づいて前記特別特典を付与するか否かを判定する第２判定手段と、
前記第１判定手段又は前記第２判定手段が前記特別特典を付与すると判定した場合、前記特別特典を付与する特別特典付与手段と、
前記第１判定手段又は前記第２判定手段が前記特別特典を付与するか否かの判定を行ったことに基づいて、所定演出を複数回実行可能な演出期間を設定する演出期間設定手段と、
前記第１判定手段が前記特別特典を付与すると判定した場合、前記特別特典を付与することを示唆する付与示唆演出を、前記所定演出の第１実行回に実行する第１実行手段と、
前記第２判定手段が前記特別特典を付与すると判定した場合、前記付与示唆演出を前記所定演出の前記第１実行回と異なる第２実行回に実行する第２実行手段と
を備えたことを特徴とする遊技機。
【請求項２】
特定遊技期間に移行させる特定遊技期間移行手段と、前記特定遊技期間における遊技結果に関する第１遊技情報を記憶する第１遊技情報記憶手段と、第２遊技情報を記憶する第２遊技情報記憶手段と、を備え、前記第１判定手段を、前記第１遊技情報記憶手段の記憶結果に基づいて前記特別特典を付与するか否かを判定する構成とするとともに、前記第２判定手段を、前記第２遊技情報記憶手段の記憶結果に基づいて前記特別特典を付与するか否かを判定する構成とし、前記特別特典付与手段を、前記第１判定手段又は前記第２判定手段が前記特別特典を付与すると判定した場合、前記特定遊技期間の終了後に前記特別特典を付与する構成としたことを特徴とする請求項１に記載の遊技機。
【手続補正書】
【提出日】平成25年8月23日(2013.8.23)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される開始操作手段と、
役の抽選を行う抽選手段と、
前記絵柄の循環表示を停止させるべく操作される停止操作手段と、
前記役の抽選に当選した当選役と対応する当選絵柄が有効位置に所定の組合せを形成して停止したことに基づいて、入賞成立として遊技者に特典を付与する特典付与手段と
を備えた遊技機において、
第１遊技状態よりも遊技者に有利な第２遊技状態に移行させる遊技状態移行手段と、
前記第２遊技状態が終了したことに基づいて、特別特典を付与するか否かの付与判定を実行する複数の判定実行手段と、
前記第２遊技状態が終了したことに基づいて、複数の遊技回によって構成されるとともに所定の補助演出が実行される演出期間を設定する演出期間設定手段と、
前記複数の判定実行手段のいずれかが前記特別特典を付与すると判定した場合、前記演出期間に前記特別特典を付与することを示唆する付与示唆演出を実行する付与示唆演出実行手段と、
前記複数の判定実行手段のいずれかが前記特別特典を付与すると判定した場合、前記演出期間の終了後に前記特別特典を付与する特別特典付与手段と
を備え、
前記複数の判定実行手段のうち少なくとも１つを前記第２遊技状態における遊技結果に基づいて前記付与判定を実行する構成とし、前記複数の判定実行手段を、予め定めた特定順序で前記付与判定を順次実行するとともに、先の判定実行手段が前記特別特典を付与しないと判定した場合に次の判定実行手段が前記付与判定を実行する構成とし、前記付与示唆演出実行手段を、前記特別特典を付与すると判定した前記判定実行手段の順序が遅いほど、前記演出期間の遅い遊技回に前記付与示唆演出を実行する構成としたことを特徴とする遊技機。
【請求項２】
所定遊技情報を記憶する所定遊技情報記憶手段と、前記第２遊技状態下で前記役の抽選結果が特定役当選となった場合、前記所定遊技情報記憶手段に前記所定遊技情報を記憶させるか否かを決定する記憶決定手段と、を備え、前記複数の判定実行手段のうち所定判定実行手段は、前記所定遊技情報記憶手段に前記所定遊技情報が記憶されている場合、前記特別特典を付与すると判定することを特徴とする請求項１に記載の遊技機。
【請求項３】
前記複数の判定実行手段のうち第２所定判定実行手段は、前記第２遊技状態における遊技結果と無関係な情報に基づいて、前記特別特典を付与するか否かの付与抽選を実行することを特徴とする請求項２に記載の遊技機。
【請求項４】
前記第２所定判定実行手段は、前記所定判定実行手段が前記特別特典を付与しないと判定した場合に前記付与抽選を実行し、前記付与示唆演出実行手段は、前記所定判定実行手段が前記特別特典を付与すると判定した場合、前記演出期間の第１遊技回に前記付与示唆演出を実行し、前記第２所定判定実行手段が前記特別特典を付与すると判定した場合、前記演出期間の前記第１遊技回よりも後の第２遊技回に前記付与示唆演出を実行することを特徴とする請求項３に記載の遊技機。
【手続補正書】
【提出日】平成25年8月23日(2013.8.23)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される開始操作手段と、
役の抽選を行う抽選手段と、
前記絵柄の循環表示を停止させるべく操作される停止操作手段と、
前記役の抽選に当選した当選役と対応する当選絵柄が有効位置に所定の組合せを形成して停止したことに基づいて、入賞成立として遊技者に特典を付与する特典付与手段と
を備えた遊技機において、
第１遊技状態よりも遊技者に有利な第２遊技状態に移行させる遊技状態移行手段と、
前記第２遊技状態における遊技結果に関する第１遊技情報を記憶する第１遊技情報記憶手段と、
第２遊技情報を記憶する第２遊技情報記憶手段と、
前記第１遊技情報記憶手段の記憶結果に基づいて特別特典を付与するか否かを判定する第１判定手段と、
前記第２遊技情報記憶手段の記憶結果に基づいて前記特別特典を付与するか否かを判定する第２判定手段と、
前記第１判定手段又は前記第２判定手段が前記特別特典を付与すると判定した場合、前記第２遊技状態の終了後に前記特別特典を付与する特別特典付与手段と、
前記第２遊技状態が終了したことに基づいて、複数の遊技回によって構成されるとともに所定の補助演出が実行される演出期間を設定する演出期間設定手段と、
前記第１判定手段が前記特別特典を付与すると判定した場合、前記特別特典を付与することを示唆する付与示唆演出を前記演出期間に実行する第１実行手段と、
前記第２判定手段が前記特別特典を付与すると判定した場合、前記付与示唆演出を前記演出期間に実行する第２実行手段と、
遊技者によってなされた操作に関わる操作結果情報を記憶する操作結果情報記憶手段と
を備え、
前記操作結果情報記憶手段に第１操作結果情報が記憶されている場合、前記第１実行手段は、前記演出期間の第１遊技回に前記付与示唆演出を実行し、前記第２実行手段は、前記演出期間の前記第１遊技回より後の第２遊技回に前記付与示唆演出を実行し、前記操作結果情報記憶手段に第２操作結果情報が記憶されている場合、前記第１実行手段は、前記演出期間の第３遊技回に前記付与示唆演出を実行し、前記第２実行手段は、前記演出期間の前記第３遊技回より前の第４遊技回に前記付与示唆演出を実行することを特徴とする遊技機。
【請求項２】
前記第２遊技状態下で前記役の抽選結果が特定役当選となった場合、前記第１遊技情報記憶手段に前記第１遊技情報を記憶させるか否かを決定する記憶決定手段を備え、前記第１判定手段を、前記第１遊技情報記憶手段に前記第１遊技情報が記憶されている場合、前記特別特典を付与すると判定する構成としたことを特徴とする請求項１に記載の遊技機。
【請求項３】
前記第２遊技情報は前記第２遊技状態における遊技結果と無関係な情報であって、前記第２判定手段は、前記第２遊技情報記憶手段の記憶結果に基づいて前記特別特典を付与するか否かの付与抽選を実行することを特徴とする請求項１又は請求項２に記載の遊技機。
【請求項４】
前記第１判定手段及び前記第２判定手段は、前記演出期間設定手段が前記演出期間を設定する遊技回において前記特別特典を付与するか否かを判定することを特徴とする請求項１乃至請求項３のいずれかに記載の遊技機。
【手続補正書】
【提出日】平成25年8月23日(2013.8.23)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される開始操作手段と、
役の抽選を行う抽選手段と、
前記絵柄の循環表示を停止させるべく操作される停止操作手段と、
前記役の抽選に当選した当選役と対応する当選絵柄が有効位置に所定の組合せを形成して停止したことに基づいて、入賞成立として遊技者に特典を付与する特典付与手段と
を備えた遊技機において、
第１遊技状態よりも遊技者に有利な第２遊技状態に移行させる遊技状態移行手段と、
前記第２遊技状態下で前記役の抽選結果が第１結果となった場合、特別特典を付与するか否かを判定する第１判定手段と、
前記第１判定手段の判定結果を記憶する第１記憶手段と、
前記第２遊技状態下で前記役の抽選結果が第２結果となった場合、前記特別特典を付与するか否かを判定する第２判定手段と、
前記第２判定手段の判定結果を記憶する第２記憶手段と、
前記第１記憶手段又は前記第２記憶手段に前記特別特典を付与すると判定したことを示す付与判定情報が記憶されている場合、前記第２遊技状態の終了後に前記特別特典を付与する特別特典付与手段と、
前記第２遊技状態が終了したことに基づいて、複数の遊技回によって構成されるとともに所定の補助演出が実行される演出期間を設定する演出期間設定手段と、
前記特別特典付与手段が前記特別特典を付与する場合、前記演出期間に前記特別特典を付与することを示唆する付与示唆演出を実行する付与示唆演出実行手段と
を備え、
前記第２判定手段が前記特別特典を付与すると判定する確率が、前記第１判定手段が前記特別特典を付与すると判定する確率よりも高くなるよう、前記第１判定手段及び前記第２判定手段を構成し、前記付与示唆演出実行手段を、前記特別特典付与手段が前記第１記憶手段の記憶結果に基づいて前記特別特典を付与する場合、前記演出期間の第１遊技回に前記付与示唆演出を実行し、前記特別特典付与手段が前記第２記憶手段の記憶結果に基づいて前記特別特典を付与する場合、前記演出期間の前記第１遊技回よりも後の第２遊技回に前記付与示唆演出を実行する構成としたことを特徴とする遊技機。
【請求項２】
前記第１判定手段及び前記第２判定手段は、前記特別特典を複数回付与すると判定し得るものであって、前記第１判定手段が前記特別特典を付与すると判定した場合に期待できる前記特別特典の付与回数と、前記第２判定手段が前記特別特典を付与すると判定した場合に期待できる前記特別特典の付与回数と、が異なることを特徴とする請求項１に記載の遊技機。
【請求項３】
前記第１記憶手段に前記付与判定情報が記憶されていない場合、前記第１遊技回に前記付与示唆演出と異なる演出を実行する演出実行手段を備えたことを特徴とする請求項１又は請求項２に記載の遊技機。
【請求項４】
前記第２遊技状態が終了したことに基づいて、１遊技回における遊技媒体の付与される期待値が１遊技回あたりに必要な遊技媒体数よりも大きくなる第３遊技状態に移行させる移行手段を備え、前記演出期間設定手段は、前記第３遊技状態における所定回数の遊技回を前記演出期間として設定することを特徴とする請求項１乃至請求項３のいずれかに記載の遊技機。
【手続補正書】
【提出日】平成25年8月23日(2013.8.23)
【手続補正１】
【補正対象書類名】特許請求の範囲
【補正対象項目名】全文
【補正方法】変更
【補正の内容】
【特許請求の範囲】
【請求項１】
所定の抽選を行う所定抽選手段と、
前記所定抽選手段の抽選結果が第１結果である場合、遊技期間を第１遊技期間に移行させる第１遊技期間移行手段と、
前記所定抽選手段の抽選結果が第２結果である場合、遊技期間を第２遊技期間に移行させる第２遊技期間移行手段と、
前記第１遊技期間移行手段又は前記第２遊技期間移行手段が前記遊技期間を移行させた場合、移行先の遊技期間を遊技者が把握することを困難なものとする困難化手段と、
遊技者に所定の利益を付与するか否かを判定する所定利益判定手段と、
前記所定利益判定手段が前記所定の利益を付与すると判定したことに基づいて、補助演出を実行する補助演出実行手段と
を備え、
前記補助演出実行手段は、前記所定利益判定手段が前記第１遊技期間に前記所定の利益を付与すると判定した場合と、前記所定利益判定手段が前記第２遊技期間に前記所定の利益を付与すると判定した場合と、で異なる補助演出を行うことを特徴とする遊技機。
【請求項２】
前記補助演出実行手段は、前記所定利益判定手段が前記所定の利益を付与すると判定したことに基づいて、所定演出を複数回実行可能な演出期間を設定する演出期間設定手段と、前記所定利益判定手段が前記第１遊技期間に前記所定の利益を付与すると判定した場合、前記所定の利益を付与することを示唆する付与示唆演出を、前記所定演出の第１実行回に実行する第１実行手段と、前記所定利益判定手段が前記第２遊技期間に前記所定の利益を付与すると判定した場合、前記付与示唆演出を前記所定演出の前記第１実行回と異なる第２実行回に実行する第２実行手段と、を備えたことを特徴とする請求項１に記載の遊技機。
【手続補正書】
【提出日】平成25年8月23日(2013.8.23)
【手続補正１】
【補正対象書類名】特許請求の範囲
【補正対象項目名】全文
【補正方法】変更
【補正の内容】
【特許請求の範囲】
【請求項１】
第１の要因に基づいて特別特典を付与するか否かを判定する第１判定手段と、
前記第１の要因と異なる第２の要因に基づいて前記特別特典を付与するか否かを判定する第２判定手段と、
前記第１判定手段又は前記第２判定手段が前記特別特典を付与すると判定した場合、前記特別特典を付与する特別特典付与手段と、
前記第１判定手段又は前記第２判定手段が前記特別特典を付与するか否かの判定を行ったことに基づいて、補助演出を実行する補助演出実行手段と
を備え、
前記補助演出実行手段は、前記第１判定手段が前記特別特典を付与すると判定した場合と、前記第２判定手段が前記特別特典を付与すると判定した場合と、で異なる補助演出を行うことを特徴とする遊技機。
【請求項２】
複数の絵柄を可変表示させる可変表示手段と、開始条件が成立した場合に乱数を取得する乱数取得手段と、前記開始条件が成立したことに基づいて前記複数の絵柄の可変表示を開始させる開始手段と、終了条件が成立した場合に前記複数の絵柄の可変表示を終了させる終了手段と、前記絵柄の可変表示を行っている最中に前記乱数取得手段が前記乱数を取得した場合、予め定めた所定数を上限として取得した乱数を保留記憶する保留記憶手段と、を備え、前記第１判定手段は、前記保留記憶手段にｎ（ｎは自然数）番目に保留記憶された乱数が前記特別特典を付与すべき値であるか否かを前記絵柄の可変表示を行っている最中に判定するものであって、前記第２判定手段は、前記保留記憶手段にｎ＋１（ｎは自然数）番目に保留記憶された乱数が前記特別特典を付与すべき値であるか否かを前記絵柄の可変表示を行っている最中に判定するものであることを特徴とする請求項１に記載の遊技機。
【請求項３】
前記補助演出実行手段は、前記保留記憶手段に前記乱数が複数個記憶されるとともにその少なくとも１つが前記特別特典を付与すべき値である状況で前記絵柄の可変表示が終了し、次遊技回が前記特別特典を付与する遊技回でない場合、前記次遊技回において、前記第１判定手段が前記特別特典を付与すると判定した場合と、前記第２判定手段が前記特別特典を付与すると判定した場合と、で異なる補助演出を行うことを特徴とする請求項２に記載の遊技機。
【請求項４】
前記補助演出実行手段は、前記絵柄の可変表示を一旦停止させた後に再度開始させる再変動演出を実行可能であって、前記第１判定手段が前記特別特典を付与すると判定した場合に特定表示態様を表示する前記再変動演出の回数と、前記第２判定手段が前記特別特典を付与すると判定した場合に前記特定表示態様を表示する前記再変動演出の回数と、が異なることを特徴とする請求項３に記載の遊技機。
【手続補正書】
【提出日】平成25年8月7日(2013.8.7)
【手続補正１】
【補正対象書類名】特許請求の範囲
【補正対象項目名】全文
【補正方法】変更
【補正の内容】
【特許請求の範囲】
【請求項１】
噴射ノズルから液体を噴射する液体噴射装置であって、
噴射しようとする液体が供給されるとともに、前記噴射ノズルと接続された液体室と、
単位時間あたりに規定量の液体を前記液体室に供給する液体供給手段と、
前記液体供給手段から供給される液体の圧力を、前記液体室の上流側で検出する圧力検
出手段と、
前記液体室内の液体を前記噴射ノズルからパルス状に噴射させる噴射制御手段と、
液体がパルス状に噴射されるときの前記圧力検出手段の検出圧力に基づいて、前記液体室内の気泡を検出する気泡検出手段と、
を備える液体噴射装置。
【請求項２】
請求項１に記載の液体噴射装置であって、
前記液体室内に気泡がない状態で、かつ液体がパルス状に噴射されるときの、前記液体供給手段から供給される液体の圧力である標準圧力を記憶している記憶手段を備え、
前記気泡検出手段は、前記圧力検出手段の検出圧力と、前記記憶手段に記憶されている
前記標準圧力とを比較することによって、前記液体室内の気泡を検出する手段である液体
噴射装置。
【請求項３】
請求項１または請求項２に記載の液体噴射装置であって、
弾性材料で形成されて、前記液体供給手段から供給される液体を前記液体室へ導く接続
チューブを備え、
前記圧力検出手段は、前記接続チューブの外側面に設けられて、該接続チューブの膨張
による変形量を検出することで、前記液体供給手段から供給される液体の圧力を検出する
手段である液体噴射装置。
【手続補正書】
【提出日】平成25年7月23日(2013.7.23)
【手続補正１】
【補正対象書類名】特許請求の範囲
【補正対象項目名】全文
【補正方法】変更
【補正の内容】
【特許請求の範囲】
【請求項１】
内視鏡挿入部の先端部に設けられた撮像素子により撮像された撮像信号に画像処理を施し、内視鏡画像を生成する画像処理部と、
前記先端部が通常の姿勢のときに、重力方向を示す重力方向マークと、前記重力方向と反対の方向を示す天方向マークとを周上の対向する位置に配置した重力方向表示部と、
前記先端部の姿勢に応じて前記重力方向表示部を生成する指示を行う制御部と、
前記内視鏡画像の所定の位置に前記重力方向表示部を合成する画像合成部と
を備え、
前記制御部は、前記先端部の姿勢が変化した際に、前記重力方向マークまたは天方向マークを前記変化の量に応じて前記重力方向表示部の前記周上の内側の所定の位置に移動して表示させることを特徴とする内視鏡装置。
【請求項２】
前記制御部は、前記先端部に着脱自在な、先端光学系の種別に基づき、前記重力方向マーク及び前記天方向マークの座標系を補正することを特徴とする請求項１に記載の内視鏡装置。
【請求項３】
前記先端部に着脱自在であり、識別部を備えた先端光学系と、
前記識別部に基づき、前記先端光学系の種別を識別する光学系識別部と、
を有し、
前記制御部は、前記識別部で識別された前記先端光学系の種別に基づき、前記重力方向マーク及び前記天方向マークの座標系を補正することを特徴とする請求項１に記載の内視鏡装置。
【請求項４】
前記先端光学系は、前記識別部として識別抵抗を備え、
前記光学系識別部は、前記識別抵抗の抵抗に基づき、前記先端光学系の種別を識別することを特徴とする請求項３に記載の内視鏡装置。
【請求項５】
内視鏡挿入部の先端部の姿勢に応じて、重力方向を示す重力方向マークと前記重力方向と反対の方向を示す天方向マークの少なくとも一方を配置した重力方向表示部を生成する指示を行う制御部を備え、
前記制御部は、前記先端部の姿勢が変化した際に、前記重力方向マークまたは前記天方向マークの少なくとも一方を前記変化の量に応じて前記重力方向表示部の前記周上の内側の所定の位置に移動して表示させることを特徴とする内視鏡装置。
【請求項６】
重力方向を示す重力方向マークと、
前記重力方向と反対の方向を示す天方向マークと、
前記重力方向マーク及び前記天方向マークを周上の対向する位置に配置した重力方向表示部と、
を備え、
前記重力方向が変化した際に、前記重力方向マークまたは天方向マークを前記変化の量に応じて前記重力方向表示部の前記周上の内側の所定の位置に移動して表示させることを特徴とするインジケータ。
【手続補正２】
【補正対象書類名】明細書
【補正対象項目名】００１０
【補正方法】変更
【補正の内容】
【００１０】
そこで、本発明は、３次元的な重力方向及び反重力方向を視認性よく表示することがで
きるインジケータ及び内視鏡装置を提供することを目的とする。
【手続補正３】
【補正対象書類名】明細書
【補正対象項目名】００１１
【補正方法】変更
【補正の内容】
【００１１】
本発明の一態様によれば、内視鏡挿入部の先端部に設けられた撮像素子により撮像された撮像信号に画像処理を施し、内視鏡画像を生成する画像処理部と、前記先端部が通常の姿勢のときに、重力方向を示す重力方向マークと、前記重力方向と反対の方向を示す天方向マークとを周上の対向する位置に配置した重力方向表示部と、前記先端部の姿勢に応じて前記重力方向表示部を生成する指示を行う制御部と、前記内視鏡画像の所定の位置に前記重力方向表示部を合成する画像合成部とを備え、前記制御部は、前記先端部の姿勢が変化した際に、前記重力方向マークまたは天方向マークを前記変化の量に応じて前記重力方向表示部の前記周上の内側の所定の位置に移動して表示させることを特徴とする内視鏡装置を提供することができる。
また、本発明は、内視鏡挿入部の先端部の姿勢に応じて、重力方向を示す重力方向マークと前記重力方向と反対の方向を示す天方向マークの少なくとも一方を配置した重力方向表示部を生成する指示を行う制御部を備え、前記制御部は、前記先端部の姿勢が変化した際に、前記重力方向マークまたは前記天方向マークの少なくとも一方を前記変化の量に応じて前記重力方向表示部の前記周上の内側の所定の位置に移動して表示させることを特徴とする内視鏡装置を提供することができる。
また、本発明は、重力方向を示す重力方向マークと、前記重力方向と反対の方向を示す天方向マークと、前記重力方向マーク及び前記天方向マークを周上の対向する位置に配置した重力方向表示部と、を備え、前記重力方向が変化した際に、前記重力方向マークまたは天方向マークを前記変化の量に応じて前記重力方向表示部の前記周上の内側の所定の位置に移動して表示させることを特徴とするインジケータを提供することができる。
【手続補正４】
【補正対象書類名】明細書
【補正対象項目名】００１２
【補正方法】変更
【補正の内容】
【００１２】
本発明のインジケータ及び内視鏡装置によれば、３次元的な重力方向及び反重力方向を視認性よく表示することができる。
【手続補正書】
【提出日】平成25年6月13日(2013.6.13)
【手続補正１】
【補正対象書類名】明細書
【補正対象項目名】００３５
【補正方法】変更
【補正の内容】
【００３５】
共通電極３１は、膜状をなしており、表示層５の平面視にて、表示層５の少なくとも表示領域（すなわち、各セル５１を含む領域）を覆うように形成されている。また、共通電極３１は、実質的に無色透明とされる。このように、共通電極３１を基板２と共に無色透明とすることにより、表示面側基板４（表示面１ａ）を介して、マイクロカプセル５５中の電気泳動粒子７の状態を視認することができる。
【手続補正２】
【補正対象書類名】明細書
【補正対象項目名】００７０
【補正方法】変更
【補正の内容】
【００７０】
図９に示すように、マイクロカプセル５５は、表示面側基板４と背面側基板１２３との間に、縦横に並列するように単層で（すなわち、厚さ方向に重なることなく１個ずつ）、かつ、表示層５Ｃの厚さ方向全体に配設されている。すなわち、マイクロカプセル５５は、表示層５Ｃにおいて、その面方向に隣接するもの同士が互いに接触し、かつ、厚さ方向に積層することなく配列している。また、マイクロカプセル５５は、上下方向に圧縮されることなく、ほぼ球状（球形状）をなしている。
【手続補正３】
【補正対象書類名】明細書
【補正対象項目名】００７３
【補正方法】変更
【補正の内容】
【００７３】
カプセル本体５５１の構成材料は、特に限定されず、例えば、ゼラチン、アラビアゴムとゼラチンとの複合材料、ウレタン系樹脂、メラミン系樹脂、尿素樹脂、エポキシ系樹脂、フェノール系樹脂、アクリル系樹脂、オレフィン系樹脂、ポリアミド、ポリエーテルのような各種樹脂材料が挙げられ、これらのうち１種または２種以上を組み合わせて用いることができる。
【手続補正書】
【提出日】平成25年8月1日(2013.8.1)
【手続補正１】
【補正対象書類名】明細書
【補正対象項目名】００１７
【補正方法】変更
【補正の内容】
【００１７】
図２は、各シャッター素子の詳細構成を示す模式的な断面図である。各シャッター素子１１ａ、１１ｂは、それぞれ図２に示すように上側偏光板１３、光学補償板１４、液晶セル（液晶素子）１５、光学補償板１６、下側偏光板１７を有して構成されている。
【手続補正２】
【補正対象書類名】明細書
【補正対象項目名】００２４
【補正方法】変更
【補正の内容】
【００２４】
液晶層２７は、上側基板２１の上側電極２２と下側基板２４の下側電極２５の相互間に設けられている。本実施形態においては誘電率異方性Δεが負（Δε＜０）の液晶材料（ネマティック液晶材料）を用いて液晶層２７が構成されている。液晶層２７に図示された太線は、電圧無印加時における液晶分子の配向方向（ダイレクタ）を模式的に示したものである。本実施形態の液晶表示装置においては、液晶層２７の液晶分子の配向状態は初期状態（電圧無印加状態）において８９°程度のプレティルト角を有する略垂直配向に設定されている。液晶層２７に電圧が印加されると、液晶分子の長軸方向が電界方向と交差するように液晶層２７の配向状態が変化する。液晶層２７のリターデーションは略３００ｎｍである。
【手続補正３】
【補正対象書類名】明細書
【補正対象項目名】００２７
【補正方法】変更
【補正の内容】
【００２７】
上側偏光板１３は、その吸収軸が１２時方位から時計回りに略４５°回転させた位置に配置されている。これに対して、下側偏光板１７は、その吸収軸が１２時方位から反時計回りに略４５°回転させた位置に配置されている。これにより、上側偏光板１３と下側偏光板１７は、各々の吸収軸が略直交して配置される。
【手続補正４】
【補正対象書類名】明細書
【補正対象項目名】００４４
【補正方法】変更
【補正の内容】
【００４４】
図１１は、立体画像認識装置を画像表示装置に同期して動作させたときのタイムチャートの他の例を示す図である。本例では、画像表示装置２がプラズマ表示装置や有機ＥＬ表示装置等であり、右目用、左目用の各画像形成時間が短い場合を想定している。この場合には、各シャッター素子１１ａ、１１ｂの液晶セル１３の応答速度が律速となる。
【手続補正書】
【提出日】平成25年8月1日(2013.8.1)
【手続補正１】
【補正対象書類名】明細書
【補正対象項目名】００２７
【補正方法】変更
【補正の内容】
【００２７】
液晶層２７は、上側基板２１の上側電極２２と下側基板２４の下側電極２５の相互間に設けられている。本実施形態においては誘電率異方性Δεが負（Δε＜０）の液晶材料（ネマティック液晶材料）を用いて液晶層２７が構成されている。液晶層２７に図示された太線は、電圧無印加時における液晶分子の配向方向（ダイレクタ）を模式的に示したものである。本実施形態の液晶表示装置においては、液晶層２７の液晶分子の配向状態は初期状態（電圧無印加状態）において８９°程度のプレティルト角を有する略垂直配向に設定されている。液晶層２７に電圧が印加されると、液晶分子の長軸方向が電界方向と交差するように液晶層２７の配向状態が変化する。液晶層２７のリターデーションは略３００ｎｍである。